(57)【要約】【課題】本発明は、通常の洗濯・すすぎ工程を行うと共にドアベローズに付着したリントを除去することができるドラム式洗濯機を提供する。【解決手段】本発明は、筐体内に支持され、内部に洗濯水を貯留する外槽と、前記外槽に取り付けられる外槽カバー１００に形成されて洗濯物の投入口となる開口部１０１と、この開口部１０１の周囲に沿って設けられる環状のドアベローズ１１と、洗濯物を収容し、回転自在に前記外槽に内包される内槽と、前記内槽を回転駆動する駆動装置と、を備えるドラム式洗濯機において、前記外槽カバー１００にドアベローズ１１の洗浄機構３０を設けたことを特徴とする。【選択図】図３
2013085850.tif 000002
【特許請求の範囲】
【請求項１】
筐体内に支持され、内部に洗濯水を貯留する外槽と、
前記外槽に取り付けられる外槽カバーに形成されて洗濯物の投入口となる開口部と、
この開口部の周囲に沿って設けられる環状のドアベローズと、
洗濯物を収容し、回転自在に前記外槽に内包される内槽と、
前記内槽を回転駆動する駆動装置と、
を備えるドラム式洗濯機において、
前記外槽カバーにドアベローズの洗浄機構を設けたことを特徴とするドラム式洗濯機。
【請求項２】
請求項１に記載のドラム式洗濯機において、
前記洗浄機構は、前記ドアベローズ側に開口する洗浄水の噴射穴を有していることを特徴とするドラム式洗濯機。
【請求項３】
請求項２に記載のドラム式洗濯機において、
前記噴射穴は、ドラム式洗濯機の設置面に対して傾斜するように設けられる前記外槽の、前記外槽カバーに形成される前記開口部の上部周縁に有することを特徴とするドラム式洗濯機。
【請求項４】
請求項２又は請求項３に記載のドラム式洗濯機において、
前記噴射穴は、前記ドアベローズ側から見た正面視で逆ハの字を形成する一対のスリットで構成されていることを特徴とするドラム式洗濯機。
【請求項５】
請求項３又は請求項４に記載のドラム式洗濯機において、
前記噴射穴は、シャワーすすぎを行う前記外槽カバーのシャワーカバーに並設されていることを特徴とするドラム式洗濯機。
【請求項６】
請求項５に記載のドラム式洗濯機において、
前記噴射穴からの洗浄水の噴射は、前記シャワーすすぎのタイミングに合わせて行われることを特徴とするドラム式洗濯機。
【発明の詳細な説明】
【技術分野】
【０００１】
本発明は、ドラム式洗濯機に関する。
【背景技術】
【０００２】
一般に、ドラム式洗濯乾燥機は、洗濯・すすぎ工程が完了した洗濯物の乾燥時にリントを発生させる。このリントは、洗濯物が投入されるドラム（内槽）、このドラムを内包する外槽等に付着する。
従来、洗濯物の洗浄・すすぎ工程とは別の工程で、ドラム、外槽を洗浄する槽洗浄工程を行うドラム式洗濯乾燥機が知られている（例えば、特許文献１参照）。
このようなドラム式洗濯乾燥機は、通常の洗濯・すすぎ工程よりも多くの水量を外槽に溜めると共に内槽の回転速度を速くする槽洗浄工程を実行することで、槽内に付着した洗剤カス、カビ等の異物を洗浄する。したがって、このドラム式洗濯乾燥機によれば、槽内に付着したリントも洗浄できると考えられる。
【先行技術文献】
【特許文献】
【０００３】
【特許文献１】特開２００５−１３１１１５号公報
【発明の概要】
【発明が解決しようとする課題】
【０００４】
ところで、洗濯物の乾燥時に発生するリントは、前記したドラム、外槽のみならず、外槽の開口部（洗濯物の投入口）の周囲に設けられたゴム製のドアベローズの裏側にも回り込んで付着する。
しかしながら、従来のドラム式洗濯乾燥機（例えば、特許文献１参照）は、その槽洗浄工程で、通常の洗濯・すすぎ工程よりも多くの水量を外槽に溜めたとしても、水位が外槽の開口部にまで至ることがない。したがって、従来のドラム式洗濯乾燥機では、ドアベローズに付着したリントを除去することができずに、ユーザは乾燥工程が終了するごとに雑巾等でリントを拭き取っていた。特にドアベローズの裏側に付着したリントの除去は、ドアベローズの洗濯物噛込み防止用の周縁部を持ち上げるようにしてドアベローズを裏返して拭き取る煩雑性を伴っていた。
【０００５】
そこで、本発明の課題は、通常の洗濯・すすぎ工程を行うと共にドアベローズに付着したリントを除去することができるドラム式洗濯機を提供することにある。
【課題を解決するための手段】
【０００６】
前記課題を解決する本発明は、筐体内に支持され、内部に洗濯水を貯留する外槽と、前記外槽に取り付けられる外槽カバーに形成されて洗濯物の投入口となる開口部と、この開口部の周囲に沿って設けられる環状のドアベローズと、洗濯物を収容し、回転自在に前記外槽に内包される内槽と、前記内槽を回転駆動する駆動装置と、を備えるドラム式洗濯機において、前記外槽カバーにドアベローズの洗浄機構を設けたことを特徴とする。
【発明の効果】
【０００７】
本発明のドラム式洗濯機によれば、通常の洗濯・すすぎ工程を行うと共にドアベローズに付着したリントを除去することができるドラム式洗濯機を提供することができる。
【図面の簡単な説明】
【０００８】
【図１】本発明の実施形態に係るドラム式洗濯乾燥機（ドラム式洗濯機）の内部構造を示すために筐体の一部を切断して示した斜視図である。
【図２】本発明の実施形態に係るドラム式洗濯乾燥機（ドラム式洗濯機）の内部構造を示す側面断面図である。
【図３】ドアで開口が閉じられた外槽カバーを図１のIII−III線で切断して示した部分断面を含む外槽カバーの斜視図である。
【図４】図１のIII−III線における部分拡大断面図であり、図３のIV部に対応する部分拡大断面図である。
【図５】ドアベローズ洗浄ノズルの構成説明図であり、（ａ）は図３の前側からドアベローズ洗浄ノズルを見た様子を示す正面図、（ｂ）は図３の後側からドアベローズ洗浄ノズルを見た背面図、（ｃ）はドアベローズ洗浄ノズルの右側の噴射孔付近を部分的に拡大して示す部分拡大右側側面図である。
【図６】本実施形態に係るドラム式洗濯乾燥機（ドラム式洗濯機）の運転工程を示す工程図である。
【発明を実施するための形態】
【０００９】
以下、本発明の実施形態に係るドラム式洗濯機について、適宜図面を参照しながら詳細に説明する。本実施形態に係るドラム式洗濯機は、ドアベローズの内側に洗浄水を噴射するように外槽カバーを構成したことを主な特徴としているが、以下では、まずドラム式洗濯機の全体構成について説明した後に、外槽カバーについて詳しく説明する。なお、本実施形態では、乾燥機能を備えるドラム式洗濯機であるドラム式洗濯乾燥機を例に説明する。以下の説明における前後左右上下の方向は、図１に示す前後左右上下の方向を基準とする。
【００１０】
≪ドラム式洗濯乾燥機≫
図１及び図２を主に参照しながらドラム式洗濯乾燥機１の全体構成について説明する。図１は本発明の実施形態に係るドラム式洗濯乾燥機の内部構造を示すために筐体の一部を切断して示した斜視図、図２は本発明の実施形態に係るドラム式洗濯乾燥機の内部構造を示す側面断面図である。
【００１１】
ドア２は、前面カバー１ｃの略中央に設けた洗濯物を出し入れするための投入口を塞ぐためのものであり、ドラム式洗濯乾燥機１の前補強材（図示省略）に設けたヒンジ（図示省略）で開閉可能に支持されている。
【００１２】
洗剤容器５は、ドラム式洗濯乾燥機１の上部左側に設けており、前部開口から引き出し式の洗剤トレイ（図示省略）を装着する。
洗剤容器５の後方には、図示しない給水弁（電磁弁）や風呂水吸水ポンプ、水位センサなど給水に関連する部品が設けられている。
上面カバー１ｅには、水道栓から延びる給水ホース（図示省略）が接続される給水ホース接続口１６が設けられている。また、上面カバー１ｅには、風呂の残り湯を吸水するための吸水ホース（図示省略）が接続される吸水ホース接続口１７も設けられている。
【００１３】
ドラム式洗濯乾燥機１のドラム８（内槽）は、有底円筒形状を呈している。このドラム８は、回転可能に外槽１０内に支持されており、その外周壁に通水及び通風のための多数の貫通孔３２を有すると共に、前側端面に洗濯物を出し入れするための開口部８ａを有している。開口部８ａの外側には、ドラム８と一体の流体バランサ８ｃを備えている。ドラム８の外周壁の内側には、軸方向に延びるリフタ８ｂが周方向に離散的に複数個設けられている。洗濯、乾燥時にドラム８が回転すると、洗濯物はリフタ８ｂと遠心力とで外周壁に沿って持ち上がり、重力で落下するような動きを繰り返すタンブリング動作を行う。ドラム８の回転中心軸は、水平又は開口部８ａ側が高くなるように、水平に対して０〜３０°程度傾斜している。
【００１４】
有底円筒形状の外槽１０は、ドラム８を同軸上に内包し、前面は開口している。つまり、外槽１０は、ドラム８の傾斜に合わせて傾斜している。また、外槽１０は、後側端面の外側中央にドラムモータ９を備えている。ドラムモータ９の回転軸９ａは、外槽１０を貫通し、ドラム８と結合している。
外槽１０の前面の開口部には、後に詳しく説明する外槽カバー１００が設けられ、この外槽カバー１００が取り付けられることで外槽１０は、その内側への貯水を可能としている。外槽カバー１００の前側中央には、洗濯物を出し入れするための正面側開口部１０１が設けられている。この正面側開口部１０１は、特許請求の範囲にいう「開口部」に相当する。
そして、正面側開口部１０１とドラム式洗濯乾燥機１の筐体３に設けられた開口部（図示省略）は、ゴム製のドアベローズ１１（環状のシール部材）で接続されている。つまり、ドアベローズ１１は、正面側開口部１０１の周囲に沿って設けられることとなる。このドアベローズ１１はドア２を閉じることで外槽１０を水封するようになっている。
【００１５】
外槽１０は、下側をベース１ｈに固定されたサスペンション１３（コイルばねとダンパで構成）で防振支持されている。また、外槽１０の上側は上部補強部材に取り付けた補助ばね（図示省略）で支持されており、外槽１０の前後方向への倒れを防ぐことができる。
【００１６】
乾燥ダクト１８は、ドラム式洗濯乾燥機１の背面内側に縦方向に設置され、乾燥ダクト１８の下部は外槽１０の背面下方に設けた吸気口１０ｅにゴム製の蛇腹管１８ａで接続される。乾燥ダクト１８内には、水冷除湿機構（図示省略）が内蔵されている。この水冷除湿機構には、前記した給水弁（図示省略）から冷却水が供給されるようになっている。
【００１７】
乾燥ダクト１８の上部は、ドラム式洗濯乾燥機１内の上部右側に前後方向に設置したフィルタダクト１９に接続している。フィルタダクト１９の前面には開口部を有しており、この開口部には引き出し式の乾燥フィルタ２０が挿入されている。乾燥ダクト１８からフィルタダクト１９へ入った空気は、乾燥フィルタ２０のメッシュフィルタ部（図示省略）に流入し、糸くずが除去される。
なお、乾燥フィルタ２０の掃除は、乾燥フィルタ２０を引き出してメッシュフィルタ部を取り出すことにより行われる。
また、フィルタダクト１９における乾燥フィルタ２０の挿入部の下面には、開口部が設けており、この開口部により、フィルタダクト１９は、吸気ダクト（図示省略）を介して、送風ユニット２１の吸気口と接続している。
【００１８】
送風ユニット２１は、駆動用のファンモータ２２、羽根車（図示省略）、ファンケース（図示省略）で構成されている。このファンケースには、ファンヒータ２３が内蔵されており、このファンヒータ２３は前記の羽根車から送られる空気を加熱する。
送風ユニット２１の吐出口は、送風ダクト２４に接続されている。送風ダクト２４は、ゴム製の蛇腹管２４ａを介して外槽カバー１００に設けた吹き出し口２５に接続されている。本実施形態では、送風ユニット２１がドラム式洗濯乾燥機１の筐体３内の上部右側に設けられている。これにより、吹き出し口２５は外槽カバー１００の正面から見て右斜め上に位置することとなって、送風ユニット２１から吹き出し口２５までの距離が極力短くなるように工夫されている。
【００１９】
このように、ドラム８内の空気は、ドラム８の壁面の貫通孔から外槽１０に抜け、外槽１０の背面下方に設けた吸気口１０ｃから蛇腹管１８ａ、乾燥ダクト１８、フィルタダクト１９、送風ダクト２４、送風ユニット２１の吸気口へと吸い込まれ、送風ユニット２１の吐出口から蛇腹管２４ａを介して吹き出し口２５からドラム８内に風を送り込む循環風路が形成される。
【００２０】
また、ドラム式洗濯乾燥機１の下部には、ドラムモータ９、ファンモータ２２、ファンヒータ２３等を制御する制御装置６０が設けられている。
そして、この制御装置６０は、ドラム式洗濯乾燥機１が後に説明する図６のシャワーすすぎ３０５，３０７を実施するタイミングで、ドアベローズ洗浄ノズル４（図３参照）が洗浄水をドアベローズ１１に向けて噴出するように前記の図示しない給水弁（電磁弁）を制御する。
【００２１】
≪外槽カバー≫
本実施形態に係るドラム式洗濯乾燥機１の外槽カバー１００について説明する。
図１に示すように、外槽カバー１００は、環状を呈している。そして、外槽カバー１００は、前記したように、洗濯物を出し入れするための正面側開口部１０１（図２参照）を有している。
次に参照する図３は、ドアで開口が閉じられた外槽カバーを図１のIII−III線で切断して示した部分断面を含む外槽カバーの斜視図である。なお、図３に示すドア２は、内側半体部分（内側ガラスを含む）のみを示し、外側半体部分（外側ガラスを含む）の記載を省略している。
【００２２】
図３に示すように、外槽カバー１００は、外槽１０（図２参照）の前側開口（図示省略）に接続される背面側開口部１０２側から正面側開口部１０１側に掛けて縮径している。このことで、外槽カバー１００は、前記したように外槽１０（図２参照）に取り付けられることで、傾斜する外槽１０の内側への貯水を可能としている。
そして、正面側開口部１０１がドア２で閉じられると、前記したように、ドラム式洗濯乾燥機１の筐体３（図２参照）に設けられた開口部（図示省略）と正面側開口部１０１とを接続するように設けられるドアベローズ１１が外槽１０（図２参照）を水封する。
【００２３】
外槽カバー１００は、図３に示すように、ドアベローズ１１の洗浄機構３０を有している。本実施形態では、この洗浄機構３０を構成する外槽カバー１００部分を特にシャワーカバーと称することがある。
次に参照する図４は、図３のIV部の部分拡大図である。
【００２４】
図４に示すように、洗浄機構３０（シャワーカバー）は、管形状のドアベローズ洗浄ノズル４と、このドアベローズ洗浄ノズル４を外槽カバー１００の正面側開口部１０１の上部周縁に形成された取付け穴６に支持するシール部材７と、を備えて構成されている。ちなみに、シール部材７は、合成ゴム等の弾性部材で形成された略管形状を呈している。このシール部材７は、その中心穴にドアベローズ洗浄ノズル４が挿嵌された状態で取付け穴６に圧入されることで、ドアベローズ洗浄ノズル４の上部を正面側開口部１０１の上部周縁に支持している。
なお、図４中、符号１１はドアベローズであり、符号１２ａは噴射穴であり、符号１２ｃは噴出口であり、符号１４は洗濯物噛込み防止用突出周縁部であり、符号４０はドアベローズ洗浄ノズル４に接続される給水パイプである。
【００２５】
次に参照する図５は、ドアベローズ洗浄ノズルの構成説明図であり、（ａ）は図３の前側からドアベローズ洗浄ノズルを見た様子を示す正面図、（ｂ）は図３の後側からドアベローズ洗浄ノズルを見た背面図、（ｃ）はドアベローズ洗浄ノズルの右側の噴射孔付近を部分的に拡大して示す部分拡大右側側面図である。
【００２６】
ドアベローズ洗浄ノズル４は、図５（ａ）及び（ｂ）に示すように、上下方向に長い管形状を呈していると共に、その管状部から左右方向に延出する一対の取付けフランジ４ａを有している。この取付けフランジ４ａには、ボルト挿通穴４ｂが形成されており、このボルト挿通穴４ｂに挿通されるボルト（図示省略）が正面側開口部１０１（図４参照）の上部周縁の適所に設けられる雌ネジ部（図示省略）に螺合することで、ドアベローズ洗浄ノズル４は正面側開口部１０１の上部周縁に固定されることとなる。ちなみに図５中、符号４ｃは、正面側開口部１０１の上部周縁の壁面と当接してドアベローズ洗浄ノズル４の下端を支持する一対の支持片である。
【００２７】
ドアベローズ洗浄ノズル４は、図５（ａ）に示すように、管状部の下側寄りの周壁面にその管内に連通する洗浄水の噴射穴１２ａ，１２ｂを一対有している。これらの噴射穴１２ａ，１２ｂ同士は、ドアベローズ洗浄ノズル４の正面視（図５（ａ）参照）で逆ハの字状に相互に向き合っている。そして、噴射穴１２ａ，１２ｂのそれぞれは、湾曲する管状部の周壁面に対して前記した正面視で逆ハの字を形成するように直線スリット状に切り込みを入れられることで、図５（ｃ）に示す右側側面視では、噴射穴１２ａは、管状部の径に応じた所定の曲率Ｒで上方に凸となるように湾曲する円弧状に形成されることとなる。また、左側側面視では、図示しないが、噴射穴１２ｂも曲率Ｒで上方に凸となるように湾曲する円弧状に形成されることとなる。
ちなみに、噴射穴１２ａは、図５（ｃ）に示すように、管状部の前側にのみ形成されており、後側には形成されていない。また、噴射穴１２ｂについても、図示しないが、管状部の前側にのみ形成されており、後側には形成されていない。
このような形状の噴射穴１２ａ，１２ｂは、向き合うドアベローズ１１（図４参照）の上下幅方向に広く、かつドアベローズ１１の周方向にも広く洗浄水を噴射することができる。
【００２８】
再び図４に戻って、ドアベローズ洗浄ノズル４は、噴射穴１２ａ，１２ｂがドアベローズ１１の内側に向くように配置される。望ましくは、外槽カバー１００の正面側開口部１０１寄りのドアベローズ１１部分であって、外槽カバー１００と最も近接するドアベローズ１１部分、具体的には、ドアベローズ１１の洗濯物噛込み防止用突出周縁部１４の最上位置の高さＨよりも、噴射穴１２ａ，１２ｂ（但し、図４中、噴射穴１２ｂは不図示）の高さが高くなるように、ドアベローズ洗浄ノズル４が配置される。より望ましい噴射穴１２ａ，１２ｂの高さ（位置）は、洗濯物噛込み防止用突出周縁部１４の前記高さＨよりも高い位置で、かつ洗濯物噛込み防止用突出周縁部１４に近接した位置である。
【００２９】
このような位置に設けられる噴射穴１２ａ，１２ｂは、前記したその形状とも相俟って、後記するドラム式洗濯乾燥機１の運転工程において、喩え、吸水した洗濯物の重さで外槽１０が下方に沈み込むような場合が生じたとしても、ドア２とドアベローズ１１の密着ラインに洗浄水の噴射が直接に集中せずに、かつ向き合うドアベローズ１１の上下幅方向に広く洗浄水を噴射することができる。
【００３０】
給水パイプ４０は、前記の制御装置６０（図１参照）によって開閉が制御される図示しない給水弁（電磁弁）が途中に配置されると共に給水ホース接続口１６（図１参照）に連通している。つまり、給水パイプ４０は、給水ホース接続口１６を介して水道栓から延びる給水ホース（図示省略）と接続されている。
【００３１】
また、本実施形態でのドアベローズ洗浄ノズル４は、すすぎシャワーノズルをも兼ねている。つまり、ドアベローズ洗浄ノズル４の管状部の下端には、洗浄水の噴出口１２ｃ（図６（ａ）、（ｂ）参照）が前記の噴射穴１２ａ，１２ｂとは別に設けられている。言い換えれば、図４に示す洗浄機構３０（シャワーカバー）には、噴射穴１２ａ，１２ｂと、噴出口１２ｃとが上下に並設されていることとなる。
そして、この噴出口１２ｃからは、ドラム式洗濯乾燥機１が後に説明する図６のシャワーすすぎ工程３０５及びシャワーすすぎ工程３０７を実施する際に、洗濯物に向けて洗浄水が噴き出される。この際、噴出口１２ｃから噴き出される洗浄水は、ドア２を構成するドアガラスをも洗浄することとなる。
【００３２】
以上のような洗浄機構３０（シャワーカバー）を有する外槽カバー１００には、図示しないが、外槽１０（図１参照）内の洗浄水を循環ポンプにより循環させてドラム８（図１参照）内に向けて噴射する循環シャワーノズル、送風ダクト２４（図１参照）からの温風を吹き出す吹出し口、外槽１０からの洗浄水の溢れ出しを防止するオーバーフロー排水口等が設けられている。
【００３３】
≪ドラム式洗濯乾燥機の運転工程≫
次に、本実施形態のドラム式洗濯乾燥機１の運転工程について説明する。
参照する図６は、本実施形態に係るドラム式洗濯乾燥機の運転工程を示す工程図である。
本実施形態に係るドラム式洗濯乾燥機１は、図６に示すように、運転工程としての給水工程３０１、洗い工程３０２、排水工程３０３、中間脱水工程３０４、シャワーすすぎ工程３０５、シャワー脱水工程３０６、シャワーすすぎ工程３０７、中間脱水工程３０８、給水工程３０９、溜めすすぎ工程３１０、排水工程３１１、最終脱水工程３１２、及び乾燥工程３１３の各工程を順番に実行する。
【００３４】
＜給水工程３０１＞
この給水工程３０１において、制御装置６０（図１参照）が図示しない排水弁を閉じて給水弁を開くことで、洗剤容器５（図１参照）に投入された洗剤は、前記した給水弁からの水と共に、外槽１０の下部に溜まる。
また、制御装置６０は、水位センサ（図示省略）で検知した所定の給水量まで給水した後、前記した給水弁を閉じる。
【００３５】
＜洗い工程３０２＞
この洗い工程３０２おいて、制御装置６０は、ドラムモータ９（図２参照）を回転駆動させることによりドラム８（図２参照）を回転させる。これにより、洗濯物がリフタ８ｂ（図２参照）によりかきあげられ落下し、叩き洗いにより洗濯される。
【００３６】
＜排水工程３０３及び中間脱水工程３０４＞
前記の洗い工程３０２が終了すると、制御装置６０は、ドラムモータ９を停止させ、前記した排水弁を開放する。そして、排水が完了すると、制御装置６０は、ドラムモータ９によりドラム８を高速回転させる。この中間脱水工程３０４により、洗濯物にしみこんだ汚れを含む水は、ドラム８の貫通孔を介して外槽１０に遠心脱水される。なお、外槽１０へと流れた汚れを含む水は、所定の排水口（図示省略）から機外へ排出される。
【００３７】
＜シャワーすすぎ工程３０５＞
このシャワーすすぎ工程３０５において、制御装置６０は、ドラム８の回転速度を低速回転（例えば１００ｒｐｍ以下）で維持しながら、前記した給水弁を開放し、外槽カバー１００（図３参照）の正面側開口部１０１（図３参照）の上部周縁に設けられたドアベローズ洗浄ノズル４（図３参照）に洗浄水を供給する。このことにより、ドアベローズ洗浄ノズル４の噴出口１２ｃ（図４参照）から洗浄水が洗濯物に向けて噴き出されると共に、噴射穴１２ａ，１２ｂ（図４参照）から洗浄水がドアベローズ１１の内側（図４の後側）に向けて噴き出される。
つまり、制御装置６０は、このシャワーすすぎ工程３０５に合わせてドアベローズ１１の洗浄工程を行うこととなる。
なお、ドアベローズ洗浄ノズル４から噴射される洗浄水は、水道圧によって噴射穴１２ａ，１２ｂ及び噴出口１２ｃから噴射される。
ちなみに、洗濯物に噴射された洗浄水は、遠心力により洗濯物を通過する。その際、洗浄水は洗濯物にしみこんだ水と一緒にドラム８の貫通孔から外槽１０へ排出され、さらに外槽１０の下端に設けられた前記した排水口から機外に排出される。また、ドアベローズ１１に噴射された洗浄水も排水口から機外に排出される。
【００３８】
＜シャワー脱水工程３０６＞
シャワーすすぎ工程３０５が完了すると、制御装置６０は、前記の給水弁を閉じ、ドラムモータ９によりドラム８を高速回転させる。これにより、洗濯物にしみこんだ汚れを含む水は、ドラム８の貫通孔を介して外槽１０に遠心脱水される。なお、外槽１０へと流れた汚れを含む水は、前記した排水口から機外へ排出される。
【００３９】
＜シャワーすすぎ工程３０７及び中間脱水工程３０８＞
制御装置６０は、前記したシャワーすすぎ工程３０５と同様の手順でシャワーすすぎ工程３０７を実行し、前記した中間脱水工程３０４と同様の手順で中間脱水工程３０８を実行するので、これらのシャワーすすぎ工程３０７及び中間脱水工程３０８の説明は省略する。そして、シャワーすすぎ工程３０７においてもドアベローズ洗浄ノズル４によるドアベローズ１１の洗浄工程が、シャワーすすぎ工程３０５における手順と同様の手順で行われる。したがって、このドアベローズ１１の洗浄工程の説明についても省略する。
【００４０】
＜給水工程３０９＞
制御装置６０は、前記給水工程３０１と同様の手順で給水工程３０９を実行するので、この給水工程３０９の説明は省略する。
【００４１】
＜溜めすすぎ工程３１０及び排水工程３１１＞
給水工程３０９を実行した後、制御装置６０は、ドラムモータ９を回転駆動させ、外槽１０に貯めた洗浄水によって洗濯物をすすぐ、溜めすすぎ工程３１０を実行する。次に、溜めすすぎ工程３１０が終了すると、制御装置６０は、ドラムモータ９を停止させ、前記した排水弁を開放することで外槽１０内からの排水を行う。
【００４２】
＜最終脱水工程３１２＞
排水工程３１１が完了すると、制御装置６０はドラムモータ９によりドラム８を中間脱水工程３０８よりもさらに高速回転させることにより、洗濯物の高速遠心脱水を行う。
【００４３】
＜乾燥工程３１３＞
この乾燥工程３１３において、制御装置６０は、ドラムモータ９、ファンモータ２２、ファンヒータ２３を制御することにより、ドラム８内の洗濯物を乾燥させる。
以上のような各工程を実行することで、本実施形態のドラム式洗濯乾燥機１の一連の運転工程は終了する。
【００４４】
以上のような本実施形態に係るドラム式洗濯乾燥機１によれば、次のような作用効果を奏することができる。
ドラム式洗濯乾燥機１によれば、外槽カバー１００にドアベローズ１１の洗浄機構３０が設けられているので、通常の洗濯・すすぎ工程（前記の運転工程参照）を行うと共にドアベローズ１１に付着したリントを洗浄除去することができる。
【００４５】
また、このドラム式洗濯乾燥機１によれば、外槽カバー１００の正面側開口部１０１の上部周縁に洗浄機構３０を有しているので、正面側開口部１０１の周囲に沿って配置されるドアベローズ１１の洗浄を効率よく行うことができる。
【００４６】
また、このドラム式洗濯乾燥機１によれば、噴射穴１２ａ，１２ｂが、ドアベローズ１１側から見た正面視で逆ハの字を形成する一対のスリットで構成されているので、さらに効率よくドアベローズ１１の洗浄を行うことができる。
【００４７】
また、このドラム式洗濯乾燥機１によれば、噴射穴１２ａ，１２ｂが、噴出口１２ｃと並設され、シャワーすすぎ工程３０５，３０７のタイミングに合わせてドアベローズ１１の洗浄工程が行われるので、別途にドアベローズ１１の洗浄を行う時間を省略することができると共に、別途にドアベローズ１１の洗浄を行う場合よりも、節水を図ることができる。
【００４８】
以上、本発明の実施形態について説明したが、本発明は前記実施形態に限定されず、種々の形態で実施することができる。
前記実施形態では、乾燥時に発生したリントの洗浄を想定しているが、本発明はリントの洗浄に限定されずに、他の異物の洗浄を行うものであってもよい。したがって、本発明は、乾燥機能を備えないドラム式洗濯機にも用いることが可能であることはいうまでもない。
また、本発明は、噴射穴１２ａ，１２ｂが向き合うドアベローズ１１の面、言い換えれば洗浄水が噴射されるドアベローズ１１の面には、フッ素系樹脂、シリコーン樹脂等の表面改質コーティングを施すことができる。このようなドアベローズ１１は、洗浄水によるリント等の異物の除去を容易にすることができる。
【符号の説明】
【００４９】
１      ドラム式洗濯乾燥機（ドラム式洗濯機）
２      ドア
３      筐体
４      ドアベローズ洗浄ノズル
８      ドラム（内槽）
９      ドラムモータ（駆動装置）
１０    外槽
１１    ドアベローズ
１２ａ  噴射穴
１２ｂ  噴射穴
１２ｃ  噴出口
１４    洗濯物噛込み防止用突出周縁部
３０    洗浄機構（シャワーカバー）
６０    制御装置
１００  外槽カバー
１０１  正面側開口部（開口部）
３０５  シャワーすすぎ工程
３０７  シャワーすすぎ工程
【図１】
2013085850.tif 000003
【図２】
2013085850.tif 000004
【図３】
2013085850.tif 000005
【図４】
2013085850.tif 000006
【図５】
2013085850.tif 000007
【図６】
2013085850.tif 000008